(57)【要約】  【課題】  本発明は、燃焼機器内部の内部ドレン配管中にドレン詰りを検出するドレン詰り検出部を設けることによって、ドレン水を中和する中和容器内でのドレン詰りに加え、燃焼機器本体と中和容器とを繋ぐ外部ドレン配管中でのドレン詰りを検出可能にして、長期間の使用においても、安定した燃焼性能を保つことが可能な燃焼機器を提供することを目的とする。  【解決手段】  本発明は、燃焼機器の内部に、潜熱回収用の二次熱交換器と、この二次熱交換器で発生するドレン水を通す内部ドレン配管とを備え、燃焼機器の外部に、ドレン水を中和する中和容器と、この中和容器に前記内部ドレン配管からのドレン水を導く外部ドレン配管とを備える燃焼機器において、前記内部ドレン配管の途中に、ドレン詰りを検出するドレン詰り検出部を設けた燃焼機器である。  【選択図】  図５
2008116134.tif 000002
【特許請求の範囲】
【請求項１】
燃焼機器の内部に、潜熱回収用の二次熱交換器と、この二次熱交換器で発生するドレン水を通す内部ドレン配管とを備え、
燃焼機器の外部に、ドレン水を中和する中和容器と、この中和容器に前記内部ドレン配管からのドレン水を導く外部ドレン配管とを備える燃焼機器において、
前記内部ドレン配管の途中に、ドレン詰りを検出するドレン詰り検出部を設けた燃焼機器。
【請求項２】
請求項１において、
ドレン詰り検出部が、内部ドレン配管と連通しセンサーを備える本体と、この本体の側面から本体よりも上流の前記内部ドレン配管に連通するバイパス管とを備え、
前記ドレン詰り検出部の全体が前記内部ドレン配管の傾斜部分に設けられた燃焼機器。
【請求項３】
請求項１または請求項２において、
本体が内部ドレン配管の上面側と連通して上方に向かって設けられ、
バイパス管が前記本体の上流側側面から、本体よりも上流の内部ドレン配管の上面側に連通された燃焼機器。
【請求項４】
請求項１から請求項３の何れかにおいて、
バイパス管が、本体のセンサーの検出部よりも上方の上流側側面から、本体よりも上流の内部ドレン配管の上面側に連通された燃焼機器。
【請求項５】
請求項１から請求項４の何れかにおいて、
バイパス管が水平よりも下向きで内部ドレン配管に接続された燃焼機器。
【発明の詳細な説明】
【技術分野】
【０００１】
本発明は、ドレン水のドレン詰りを検出可能にした燃焼機器に関する。
【背景技術】
【０００２】
近年、燃焼機器の高効率化の要求の高まりから、いわゆる潜熱回収型の燃焼機器が普及している。このような、潜熱回収型の燃焼機器は、燃焼熱からの熱回収を行う一次熱交換器と、排気ガスの潜熱の熱回収を行う二次熱交換器とを備えるのが一般的である。
【０００３】
二次熱交換器では、排気ガスからの潜熱回収を行う際に、排気ガス中の硫黄成分等を含んだ強酸性のドレン水が発生する。このため、二次熱交換器で発生したドレン水は、受け皿等で集められ、ドレン水用の配管によって中和容器に導かれ、中和後に排出される。
【０００４】
しかし、二次熱交換器で発生したドレン水を受けるための受け皿は、燃焼機器の排気口近くに設けられるため、風の吹き込み等により、塵埃等がドレン水と一緒にドレン水用の配管や中和容器に流れ込むことになり、夾雑物となって、ドレン水の詰り（以下、「ドレン詰り」と言う。）を生じることがある。このドレン詰りを生じると、ドレン水が燃焼機器内部であふれた場合は、内部の金属製部材を腐食させたり、燃焼不良を生じさせたりすることがあり、燃焼機器の外部に漏れた場合には、強酸のドレン水が建物を浸食したり、環境を汚染したりすることがある。
【０００５】
そこで、図８に示すように、中和容器１の内部でドレン詰りが生じた場合には水位が上昇することから、中和容器１の内部に水位センサ２を設けて、ドレン詰りを検出するようにするものが知られている。また、図示しないが、中和容器の本体の上流側に隣接した箇所に、夾雑物を除くためのダストポットを設け、このダストポット内に水位センサを設けることによって、中和容器への夾雑物の流入を防ぐとともに、水位センサの正常な動作を確保したものが知られている（特許文献１）。
【特許文献１】特開２０００−３２０３８０号公報
【発明の開示】
【発明が解決しようとする課題】
【０００６】
しかしながら、図８に示す中和容器１の内部に水位センサ２を設ける方法や、ダストポットを設け、このダストポット内に水位センサを設ける方法（特許文献１）では、中和容器１の内部や中和容器１に隣接した箇所に水位センサ２を設置している。このため、中和容器１よりも上流、例えば、燃焼機器と中和容器とを繋ぐドレン水用の配管の途中で、ドレン詰りが発生した場合には、検出できない問題がある。
【０００７】
特に、潜熱回収型の燃焼機器の一種である、いわゆる壁貫通釜は、図４に示すように、浴室壁４の開口スペース５に燃焼機器の機能の大部分を収納しており、省スペース化が図れることを特徴としている。このため、中和容器１は燃焼機器３から分離して設けられることが多いので、中和容器１と、ドレン水用の配管の両方でのドレン詰りを検出する必要がある。
【０００８】
つまり、図４に示すように、壁貫通釜においては、二次熱交換器で発生したドレン水は、燃焼機器３の内部に備えられたドレン水用の配管（以下、「内部ドレン配管７」と言う。）を通った後、燃焼機器３の外部に備えられたドレン水用の配管（以下、「外部ドレン配管３６」と言う。）に導かれ、中和剤を充填した中和容器１で中和処理されてから排水される（以下、「内部ドレン配管」と「外部ドレン配管」を区別しない場合は、「ドレン水用の配管」と言う。）。
【０００９】
また、内部ドレン配管７と外部ドレン配管３６との接続は、燃焼機器３の外装に設けられた内部ドレン配管７と外部ドレン配管３６との接続部（以下、「ドレン配管接続部３２」と言う。）を介して行われる。このように、燃焼機器３と中和容器１とを繋ぐ外部ドレン配管３６が長くなるため、中和容器１の内部でのドレン詰りに加え、この外部ドレン配管３６でのドレン詰りを検出する必要がある。
【００１０】
本発明は、上記問題を解決するためになされたものであり、燃焼機器内部の内部ドレン配管中にドレン詰りを検出するドレン詰り検出部を設けることによって、ドレン水を中和する中和容器内でのドレン詰りに加え、燃焼機器本体と中和容器とを繋ぐ外部ドレン配管中でのドレン詰りを検出可能にして、長期間の使用においても、安定した燃焼性能を保つことが可能な燃焼機器を提供することを目的とする。
【課題を解決するための手段】
【００１１】
本発明は、以下に関するものである。
（１）  燃焼機器の内部に、潜熱回収用の二次熱交換器と、この二次熱交換器で発生するドレン水を通す内部ドレン配管とを備え、燃焼機器の外部に、ドレン水を中和する中和容器と、この中和容器に前記内部ドレン配管からのドレン水を導く外部ドレン配管とを備える燃焼機器において、前記内部ドレン配管の途中に、ドレン詰りを検出するドレン詰り検出部を設けた燃焼機器。
（２）  （１）において、ドレン詰り検出部が、内部ドレン配管と連通しセンサーを備える本体と、この本体の側面から本体よりも上流の前記内部ドレン配管に連通するバイパス管とを備え、前記ドレン詰り検出部の全体が前記内部ドレン配管の傾斜部分に設けられた燃焼機器。
（３）  （１）または（２）において、本体が内部ドレン配管の上面側と連通して上方に向かって設けられ、バイパス管が前記本体の上流側側面から、本体よりも上流の内部ドレン配管の上面側に連通された燃焼機器。
（４）  （１）から（３）の何れかにおいて、バイパス管が、本体のセンサーの検出部よりも上方の上流側側面から、本体よりも上流の内部ドレン配管の上面側に連通された燃焼機器。
（５）  （１）から（４）の何れかにおいて、バイパス管が水平よりも下向きで内部ドレン配管に接続された燃焼機器。
【発明の効果】
【００１２】
本発明によれば、内部ドレン配管中にドレン詰りを検出するドレン詰り検出部を設けることにより、ドレン水を中和する中和容器内でのドレン詰りに加え、外部ドレン配管中でのドレン詰りを検出可能にして、長期間の使用においても安定な燃焼性能を保つことが可能な燃焼機器を提供することができる。
【発明を実施するための最良の形態】
【００１３】
本発明の対象となる燃焼機器は、潜熱回収用の二次熱交換器と、この二次熱交換器から排出されるドレン水を通すドレン水用の配管と、ドレン水を中和する中和容器とを備えるものであれば、特に制限はない。例えば、図１に示すような燃焼機器３と中和容器１とが分離して設けられた燃焼機器、特に、図３、及び、図４に示すような壁貫通釜の場合は、燃焼機器３と中和容器１とを繋ぐ外部ドレン配管３６が長くなり、外部ドレン配管３６でのドレン詰りを考慮する必要があるため、特に優れた効果を奏する。
【００１４】
本発明に係る燃焼機器を設置できる浴室は、ユニットタイプの浴室はもちろんのこと、床、壁をタイル等で施工し、浴槽を設置した在来工法の浴室も含まれる。特に、壁貫通釜の場合は、在来工法でバランス式風呂釜（以下、「ＢＦ釜」という）を使用していた浴室を壁貫通釜にリフォームを行う際に設置すれば、浴室壁面に開口されたＢＦ釜の給排気筒設置部を利用することができ、設置スペースをコンパクト化することで、その分浴槽を大きくすることができるため有効である。このため、以下は、主に壁貫通釜に本発明を適用する場合について説明するが、本発明は、壁貫通釜に限定されるものではなく、ドレン水用の配管を有する燃焼機器に広く適用できるものである。
【００１５】
本発明で使用する燃焼機器の一つである壁貫通釜は、従来技術でも述べたように、ドレン水を排出する潜熱回収型の燃焼機器の一種である。図３は、この壁貫通釜３を在来工法の浴室に設置した浴室の設置例図であり、浴室洗い場側（浴槽６の長手面）からの見たときの透視図である。
【００１６】
壁貫通釜３に接続される配管としては、壁貫通釜３に水を供給する給水配管１２と、壁貫通釜で加熱された湯を浴室内に供給する給湯配管１３と、壁貫通釜に燃料を供給するガス配管１４と、浴槽水を循環加熱するための風呂往き配管１５と、風呂戻り配管１６と、外部ドレン配管３６が挙げられる。
【００１７】
外部ドレン配管３６は、壁貫通釜３から中和容器１に接続されている。従来技術でも述べたように、一般に壁貫通釜３では、中和容器１を本体内に内蔵するのが難しい。このため、図３の例のように、ドレン水を中和するための中和容器１を外部に設けた場合は、外部ドレン配管３６によって、壁貫通釜３と外部の中和容器１が接続され、潜熱回収の際に凝縮した強酸性のドレン水９が中和容器１に導かれる。この図３の例のように、壁貫通釜３を設置した浴室壁と直交する浴室壁４に、中和容器１を設置した場合は、中和容器１内の炭酸カルシウムの残量の確認と補充作業を、エプロン１７を外すのみで行うことができ、利便性が増す。
【００１８】
図４、図５及び図６に示すように、内部ドレン配管７の途中には、ドレン詰りを検出するドレン詰り検出部１８が設けられる。これにより、内部ドレン配管７よりも下流の外部ドレン配管３６や中和容器１内でドレン詰りが生じた場合でも、これを検出可能とすることができる。
【００１９】
ドレン詰り検出部１８の構成は、ドレン詰りを検出できるものであれば、どのようなものでもよいが、図７に示すように、内部ドレン配管７と連通しセンサー２０を備える本体１９と、この本体１９の側面から本体１９よりも上流の内部ドレン配管７に連通するバイパス管２１とを備え、ドレン詰り検出部１８の全体が内部ドレン配管７の傾斜部分２２に設けられるのが望ましい。これにより、本体１９に備えたセンサー２０によって、ドレン水の水位の上昇を検知することができる。
【００２０】
図７に示すように、本体１９の側面から、上流の内部ドレン配管７に連通するバイパス管２１を設けることにより、ドレン水の水位が上昇した際のセンサー２０の動作を確保することができる。つまり、ドレン詰りが生じて内部ドレン配管７内のドレン水の水位が上昇すると、バイパス管２１は、本体１９内に溜まった空気を、内部ドレン配管７へ逃がす作用を有する。このため、本体１９内に残留した空気によって、センサー２０の検出部２３によるドレン水の検出が妨げられることがないため、センサー２０の安定な動作を確保することができる。
【００２１】
図７に示すように、ドレン詰り検出部１８の全体が内部ドレン配管７の傾斜部分２２に設けられる。また、バイパス管２１が内部ドレン配管７と接続する位置は、本体１９よりも上流の内部ドレン配管７であって、必ず、本体１９と内部ドレン配管７との接続位置よりも上方となるようにする。これにより、ドレン詰りによって、本体１９内のセンサー２０の検出部２３に達するまで、ドレン水の水位が上昇しても、バイパス管２１と内部ドレン配管７の接続部までは、ドレン水が上昇していないため、バイパス管２１を通して、本体１９内の空気を確実に抜くことができる。
【００２２】
本体１９に取付けるセンサー２０としては、液面を検知可能なものであれば限定はなく、通常の電極を用いた液面センサーやサーミスタなどを使用することができる。取り付け構造が簡単で省スペース化を図れる点でサーミスタを使用するのが望ましい。
【００２３】
図７に示すように、本体１９は、内部ドレン配管７の上面側と連通して上方に向かって設けられ、バイパス管２１は、本体１９の上流側の側面から、本体１９よりも上流の内部ドレン配管７の上面側に連通されるのが望ましい。これにより、ドレン詰りが生じると、ドレン水の水位は本体１９と内部ドレン配管７との連通箇所、つまり本体１９の下方から上昇することになり、センサー２０を本体１９の上部から下方に向けて設置した場合は、センサー２０の先端の検出部２３でドレン水の水位を検知することができる。センサー２０の長さを調整することで、ドレン詰りの有無を検知する水位を設定可能となる。
【００２４】
図７に示すように、バイパス管２１が本体１９のセンサー２０の検出部２３よりも上方の上流側側面から本体１９よりも上流の内部ドレン配管７の上面側に連通されるのが望ましい。これにより、ドレン詰りが生じた場合、センサー２０の検出部２３にドレン水の水位が達するまで、本体１９内に溜まった空気を確実にバイパス管２１を通して抜くことができ、センサー２０による検知を安定化することができる。
【００２５】
図７に示すように、バイパス管２１が水平よりも下向きで内部ドレン配管７に接続されるのが望ましい。これにより、内部ドレン配管７を流下してくるドレン水が、バイパス管２１に流れ込んで、本体１９内に到達し、センサー２０を誤検知させるのを防止できる。
【００２６】
図４は、図３の浴室を浴槽６の短手方向から見たときの透視図である。壁貫通釜３の内部に、潜熱回収用の二次熱交換器８と、この二次熱交換器８で発生するドレン水を通す内部ドレン配管７とを備え、壁貫通釜３の外部に、ドレン水を中和する中和容器１と、この中和容器１に内部ドレン配管７からのドレン水を道導く外部ドレン配管３６とを備える。また、壁貫通釜３の下側には、給水配管と、給湯配管と、ガス配管と、風呂往き配管と、風呂戻り配管と、外部ドレン配管３６を有している（作図の都合上、外部ドレン配管３６のみを図示する）。
【００２７】
図３及び図４に示すように、本発明に用いる浴槽６は、浴室床面２５の上面に載置した際に、浴槽６の外側（但し、上縁面部分を含まず）と浴室壁４との間に、少なくとも５０ｍｍ程度の隙間ができる形状のものであることが好ましい。これにより、前カバー２４、中和容器１、及び各種の配管類（給水配管１２、給湯配管１３、ガス配管１４、風呂往き配管１５、風呂戻り配管１６、外部ドレン配管３６）を、その空間に収納することができる。また、その材質は特に限定されるものではなく、ＳＭＣ、ＢＭＣ等を用いた繊維強化プラスチック、鉄、アルミ、ステンレス等の金属、又は、これらの複合成形品を用いることができる。
【実施例】
【００２８】
以下、本発明の実施例について図面を用いて説明する。
【００２９】
図２は、本発明の一実施例である壁貫通釜３の正面図を示す。配管接続部は左側から給水配管接続部２７、給湯配管接続部２８、ガス配管接続部２９、風呂往き配管接続部３０、風呂戻り配管接続部３１、ドレン配管接続部３２である。
【００３０】
図３は、本発明の一実施例である壁貫通釜３を浴室に設置した浴室の設置例図であり、浴室洗い場側（浴槽６の長手面）からの見たときの透視図である。壁貫通釜３には各種配管が接続されている。これらの配管は、壁貫通釜３に水を供給する給水配管１２と、壁貫通釜３で加熱された湯を浴室内に供給する給湯配管１３と、壁貫通釜３に燃料を供給するガス配管１４と、浴槽水を循環加熱するための風呂往き配管１５と風呂戻り配管１６と、壁貫通釜３からのドレン水を中和容器１に導く外部ドレン配管３６とを備える。
【００３１】
風呂往き配管１５と風呂戻り配管１６は、浴槽６に取付けられた循環金具（図示しない）に接続されている。給湯配管１３は、浴槽６の上縁面に設置された水栓（図示しない）に接続される。浴槽６には、脱着可能なエプロン１７が取付けられている。
【００３２】
外部ドレン配管３６は、壁貫通釜３から中和容器１に接続されている。従来技術でも述べたように、一般に壁貫通釜３では、中和容器１を本体内に内蔵するのが難しい。このため、図３の例のように、ドレン水を中和するための中和容器１を外部に設けた場合は、外部ドレン配管３６によって、壁貫通釜３と外部の中和容器１が接続され、潜熱回収の際に凝縮した強酸性のドレン水９が中和容器１に導かれる。この図３の例のように、壁貫通釜３を設置した浴室壁と直交する浴室壁４に、中和容器１を設置した場合は、中和容器１内の炭酸カルシウムの残量の確認と補充作業を、エプロン１７を外すのみで行うことができ、利便性が増す。
【００３３】
図５及び図６に示すように、内部ドレン配管７の途中には、ドレン詰りを検出するドレン詰り検出部１８が設けられる。これにより、内部ドレン配管７内、及び、これよりも下流の中和容器１内でドレン詰りが生じた場合でも、これを検出可能となる。
【００３４】
ドレン詰り検出部１８の構成は、図７に示すように、内部ドレン配管７と連通しセンサー２０を備える本体１９と、この本体１９の側面から本体１９よりも上流の内部ドレン配管７に連通するバイパス管２１とを備え、ドレン詰り検出部１８の全体が内部ドレン配管７の傾斜部分２２に設けられる。センサー２０としては、取り付け構造が簡単で省スペース化を図れる点でサーミスタを使用する。
【００３５】
また、本体１９の側面から上流の内部ドレン配管７に連通するバイパス管２１を設けることにより、本体１９内に空気が溜まって、ドレン水の水位が上昇しているにも関わらず、センサー２０が検知できなくなるのを防止することができ、センサー２０の安定な動作を確保することができる。
【００３６】
図７に示すように、ドレン詰り検出部１８の全体が内部ドレン配管７の傾斜部分２２に設けられる。また、バイパス管２１が内部ドレン配管７と接続する位置は、本体１９よりも上流の内部ドレン配管７であって、必ず、本体１９と内部ドレン配管７との接続位置よりも上方となるようにする。これにより、ドレン詰りによって、本体１９内のセンサー２０の検出部２３に達するまで、ドレン水の水位が上昇しても、バイパス管２１と内部ドレン配管７の接続部までは、ドレン水が上昇していないため、バイパス管２１を通して、本体１９内の空気を確実に抜くことができる。
【００３７】
図７に示すように、本体１９は、内部ドレン配管７の上面側と連通して設けられ、バイパス管２１は、本体１９の上流側側面から、本体１９よりも上流の内部ドレン配管７の上面側に連通される。これにより、ドレン詰りが生じると、ドレン水は本体１９と内部ドレン配管７との連通箇所、つまり本体１９の下方から水位が上昇することになり、センサー２０を本体１９の上部から下方に向けて設置した場合は、センサー２０の先端の検出部２３でドレン水の水位を検知することができる。センサー２０の長さを調整することで、ドレン詰りの有無を検知する水位を設定可能となる。
【００３８】
図７に示すように、バイパス管２１が本体１９のセンサー２０の検出部２３よりも上方の上流側の側面から本体１９よりも上流の内部ドレン配管７の上面側に連通される。これにより、ドレン詰りが生じた場合、センサー２０の検出部２３にドレン水の水位が達するまで、本体１９内に溜まった空気を確実にバイパス管を通して抜くことができ、センサー２０の検知を安定化することができる。
【００３９】
バイパス管２１が水平よりも下向きで内部ドレン配管７に接続される。これにより、内部ドレン配管７を流下してくるドレン水が、バイパス管２１に流れ込んで、本体１９内に到達し、センサー２０を誤検知させるのを防止できる。
【００４０】
図４は、図３の浴室を浴槽６の短手方向から見たときの透視図である。壁貫通釜３の内部に、潜熱回収用の二次熱交換器８と、この二次熱交換器８で発生するドレン水を通す内部ドレン配管７とを備え、壁貫通釜３の外部に、ドレン水を中和する中和容器１と、この中和容器１に内部ドレン配管７からのドレン水を道導く外部ドレン配管３６とを備える。また、壁貫通釜３の下側には、給水配管と、給湯配管と、ガス配管と、風呂往き配管と、風呂戻り配管と、外部ドレン配管３６を有している（作図の都合上、外部ドレン配管３６のみを図示する）。
【００４１】
浴槽６は、浴室床面２５の上面に載置した際に、浴槽６の外側と浴室壁４との間に、浴槽上縁部を除いて、最も狭い箇所でも６０ｍｍ程度の隙間ができる形状のものとした。これにより、前カバー２４、及び中和容器１、各種の配管類（給水配管１２、給湯配管１３、ガス配管１４、風呂往き配管１５、風呂戻り配管１６、外部ドレン配管３６）をその空間に収納できる。また、その材質は、ＳＭＣを用いた繊維強化プラスチック成形品を用いている。
【００４２】
中和容器１のサイズは、その厚みを５０ｍｍ、高さを２００ｍｍ、幅を２５０ｍｍとしている。これによって、浴室床面２５と浴槽６と浴室壁４との間隙に設置することができる。また、中和容器１を壁貫通釜３の中に内蔵しなくてもよいので、その結果、壁貫通釜３のサイズを拡大する必要がなく、省スペースである利点を生かすことができる。
【００４３】
中和容器１には、中和剤の寿命を十分に長くすることができるよう、内部に約２ｋｇの粒状炭酸カルシウムを封入する。これにより、メンテナンスの頻度を減らすことができる。また、中和容器１の材質はプラスチックを用い、中和容器１の上部には炭酸カルシウムを容器内へ入れるための開閉可能な蓋を設けている。これにより、メンテナンスの作業性が改善する。
【００４４】
以下、本発明の一実施例である燃焼機器の動作を、図１を用いて説明する。
壁貫通釜３は給水配管接続部２７から給水され、給水配管接続部２７は給水された水の量を検出する水量センサ３３に配管接続される。水量センサ３３は潜熱回収部である二次熱交換器８の入口に配管接続され、二次熱交換器８の出口部は燃焼排ガスの顕熱を回収する給湯一次熱交換器１０の入口に配管接続される。
【００４５】
給湯燃焼は、ガス配管接続部２９から供給される燃料ガスが、バーナ１１へ供給され燃焼し、高温の燃焼ガスを発生させる。その燃焼ガスは給湯一次熱交換器１０を通過し、さらに二次熱交換器８を通過し、排気口３４から器具外へ排気する。このとき二次熱交換器８を通過する燃焼ガスの温度は２００℃程度と低温のため、二次熱交換器８には結露水が発生する。その結露水はＰＨ２程度の強酸性のため、それを回収し中和して排出する。二次熱交換器８で発生した結露水は滴下し、それを回収するための受け板にて回収し、それがドレン水９となり、内部ドレン配管７に流入する。そして、ドレン配管接続部３２を介して、外部ドレン配管３６を通った後、炭酸カルシウムを充填した中和容器１の入口部に流入する。中和容器１にて中和されたドレン水９は中和容器１のドレン水排出配管２６からＰＨ７程度となり排出される。
【００４６】
中和容器１内や外部ドレン配管３６でドレン詰りを生じさせて、このドレン水の詰まりを検出可能か試験した結果、何れの場合も、ドレン詰り検出部１８の本体１９と内部ドレン配管７の連通箇所、つまり本体１９の下方から水位が上昇し、センサー２０の先端（検出部２３）に到達した後も、バイパス管２１に達するまで、ドレン水位が上昇し続けた。このように、本体１９内に溜まった空気によって、ドレン水の水位の上昇が妨げられることはなかった。また、ドレン水がバイパス管２１の方から本体１９に流れ込むことによって、センサー２０がドレン水位を誤検知することはなく、安定した動作を確保できた。
【図面の簡単な説明】
【００４７】
【図１】本発明の一実施例である燃焼機器の動作を表わす模式図である。
【図２】本発明の一実施例である壁貫通釜の正面図を示す。
【図３】本発明に用いる壁貫通釜を浴室に設置した浴室ユニットの設置例図であり、浴室洗い場側（浴槽長手面）からの見たときの透視図を示す。
【図４】本発明に用いる壁貫通釜を浴室に設置した浴室ユニットの設置例図であり、浴槽短手面から見たときの透視図を示す。
【図５】本発明の一実施例である壁貫通釜の本体を、浴槽の短手方向から見た透視図を示す。
【図６】本発明の一実施例である壁貫通釜の本体を、浴室洗い場側（浴槽長手面）から見た透視図を示す。
【図７】本発明の一実施例であるドレン詰り検出部の拡大図を示す。
【図８】従来のドレン水位を検出可能な中和容器の一例を示す。
【符号の説明】
【００４８】
１…中和容器、２．水位センサー、３…壁貫通釜（燃焼機器本体）、４…浴室壁、５…開口スペース、６…浴室壁、７…内部ドレン配管、８…二次熱交換器、９…ドレン水、１０…一次熱交換器、１１…バーナ、１２…給水配管、１３…給湯配管、１４…ガス配管、１５…風呂往き配管、１６…風呂戻り配管、１７…エプロン、１８…ドレン詰り検出部、１９…本体、２０…センサー、２１…バイパス管、２２…傾斜部分、２３…検出部、２４…前カバー、２５…配管接続位置、２６…ドレン水排出配管、２７…給水配管接続部、２８…給湯配管接続部、２９…ガス配管接続部、３０…風呂往き配管接続部、３１…風呂戻り配管接続部、３２…ドレン配管接続部、３３…水量センサ、３４…排気口、３５…配管接続位置、３６…外部ドレン配管
【図１】
2008116134.tif 000003
【図２】
2008116134.tif 000004
【図３】
2008116134.tif 000005
【図４】
2008116134.tif 000006
【図５】
2008116134.tif 000007
【図６】
2008116134.tif 000008
【図７】
2008116134.tif 000009
【図８】
2008116134.tif 000010